(57)【特許請求の範囲】
【請求項１】
座体の側部より起立する肘掛け支柱の頂部に、肘当てを支持するほぼ水平の肘当て支持体の一端部を垂直軸をもって回動可能に枢支し、かつ前記肘当てを、肘当て支持体の他端部に、第２の垂直軸をもって回動可能に枢支し、さらに前記肘当て支持体の垂直軸回りの回動に抵抗力を付与する抵抗力付与手段を設けた椅子の肘掛け装置において、
前記抵抗力付与手段が、前記肘掛け支柱及び前記肘当て支持体のいずれか一方に設けられ、かつ前記垂直軸を中心とする円周上に複数の係合孔が穿設された円板と、前記肘掛け支柱及び前記肘当て支持体のうちの他方のものに設けられ、かつ先端部に設けた突部が前記複数の係合孔に選択的に係合することにより、前記肘当て支持体を前記垂直軸を中心とする複数の位置で弾性保持するようにした弾性舌片とを備えるものとし、かつ前記垂直軸に第１の平歯車を固定し、この第１の平歯車に噛合する第２の平歯車を肘当て支持体に枢着し、さらに、この第２の平歯車に噛合する第３の平歯車を、肘当ての下方において第２の垂直軸に枢着された肘当てホルダの軸部に形成したことを特徴とする椅子の肘掛け装置。
【請求項２】
弾性舌片を、垂直軸を中心とする環状部より垂直軸から離れる方向に延出するように設けた請求項１記載の椅子の肘掛け装置。
【請求項３】
垂直軸を中心として、互いに逆方向に延出する少なくとも２個の弾性舌片を有するものとした請求項１または２記載の椅子の肘掛け装置。
【請求項４】
肘掛け支柱及び肘当て支持体のいずれか一方における円板に対向する部分に凹溝を設け、この凹溝に弾性舌片を収容した請求項１〜３のいずれかに記載の椅子の肘掛け装置。
【請求項５】
肘掛け支柱及び肘当て支持体の他方のものにおける円板と対向する面の垂直軸から離れた部分に受け孔を設け、この受け孔に、前記円板に突設した係止ピンを嵌合することにより、円板を回り止めした請求項１〜４のいずれかに記載の椅子の肘掛け装置。
【発明の詳細な説明】
【０００１】
【発明の属する技術分野】
本発明は、座る人の体型や作業内容に応じて、椅子の肘当ての水平方向の位置や向きを調整しうるようにした椅子の肘掛け装置に関する。
【０００２】
【従来の技術】
例えば特開平１０−４２９９９号公報には、座体の側部より起立する肘掛け支柱の頂部に、前後方向に長い肘当てを上方より被せるとともに、肘当ての後部を垂直軸をもって肘掛け支柱の頂部に枢着し、肘当てを、所要角度水平方向に旋回し得るようにした椅子の肘掛け装置が開示されている。
この従来の装置においては、肘当てがむやみに旋回しないようにするため、肘掛け支柱の頂部に、上向きにばね付勢した係合突起を設けるとともに、肘当ての下面に、前記係合突起に選択的に係合するようにした複数の突起受凹部を設けている。
【０００３】
【発明が解決しようとする課題】
しかし、この従来の肘掛け装置においては、肘当ての可動範囲を肘当ての幅の中で設定せざるを得ず、肘当てを、例えば３６０度旋回させたりすることはできない。
また、突起の上向き付勢力が、肘当ての前端部を持ち上げるように作用するので、肘当ての垂直軸回りの回動が不円滑となり、ときには、肘当てが垂直軸に噛みついて、いわゆるスティック現象が生じることがある。
【０００４】
本発明は、上述の問題点に鑑み、肘当ての回動可能範囲を大とすることができるとともに、垂直軸に、肘当ての円滑な回動を妨げるような付勢力が作用することがなく、しかも構造が簡単で、容易に組み付けることができるようにした椅子の肘掛け装置を提供することを目的としている。
【０００５】
【課題を解決するための手段】
本発明によると、上記課題は、次のようにして解決される。
(１) 座体の側部より起立する肘掛け支柱の頂部に、肘当てを支持するほぼ水平の肘当て支持体の一端部を垂直軸をもって回動可能に枢支し、かつ前記肘当てを、肘当て支持体の他端部に、第２の垂直軸をもって回動可能に枢支し、さらに前記肘当て支持体の垂直軸回りの回動に抵抗力を付与する抵抗力付与手段を設けた椅子の肘掛け装置において、前記抵抗力付与手段が、前記肘掛け支柱及び前記肘当て支持体のいずれか一方に設けられ、かつ前記垂直軸を中心とする円周上に複数の係合孔が穿設された円板と、前記肘掛け支柱及び前記肘当て支持体のうちの他方のものに設けられ、かつ先端部に設けた突部が前記複数の係合孔に選択的に係合することにより、前記肘当て支持体を前記垂直軸を中心とする複数の位置で弾性保持するようにした弾性舌片とを備えるものとし、かつ前記垂直軸に第１の平歯車を固定し、この第１の平歯車に噛合する第２の平歯車を肘当て支持体に枢着し、さらに、この第２の平歯車に噛合する第３の平歯車を、肘当ての下方において第２の垂直軸に枢着された肘当てホルダの軸部に形成する。
【０００６】
(２) 上記(１)項において、弾性舌片を、垂直軸を中心とする環状部より垂直軸から離れる方向に延出するように設ける。
【０００７】
(３) 上記(１)または(２)項において、垂直軸を中心として、互いに逆方向に延出する少なくとも２個の弾性舌片を有するものとする。
【０００８】
(４) 上記(１)〜(３)項のいずれかにおいて、肘掛け支柱及び前記肘当て支持体のいずれか一方における円板に対向する部分に凹溝を設け、この凹溝に弾性舌片を収容する。
【０００９】
(５) 上記(１)〜(４)項のいずれかにおいて、肘掛け支柱及び前記肘当て支持体の他方のものにおける円板と対向する面の垂直軸から離れた部分に受け孔を設け、この受け孔に、前記円板に突設した係止ピンを嵌合することにより、円板を回り止めする。
【００１０】
【発明の実施の形態】
図１は、本発明を適用した椅子(Ａ)の側面図であり、この椅子では、座体(１)の左右両側に高さ調節式とした肘掛け支柱部(５)の頂部に、肘掛け装置(２)が設けられている。
各肘掛け装置(２)の肘当て(３)は、前後、左右方向に移動調節することができるとともに、回動調節することができる。
【００１１】
肘当て(３)をこのように移動、回転調節できるようにするための具体的な構造の一例、すなわち本発明の肘掛け装置(２)の一実施形態を図２〜図４を参照して以下に説明する。
【００１２】
図２に示すように、高さ調節機構（その詳細は、本発明に直接関係しないので説明を省略する）を組み込んだ肘掛け支柱部(５)を構成する上部の肘掛け支柱(４)の頂部は、水平の円板部分(６)を形成しており、その中心から垂直軸(７)が上方に延びている。
【００１３】
垂直軸(７)は、その上方に示されているほぼ水平の肘当て支持体(８)の一方の端部に形成された軸孔(９)が嵌挿されている。この肘当て支持体(８)の他方の端部には、上方に延びる第２の垂直軸(10)が形成されている。
【００１４】
肘当て支持体(８)の上部では、垂直軸(７)に第１の平歯車(11)がボルト(11a)により固定(回転可能とすることもある)されており、垂直軸(７)と第２の垂直軸(10)との間には、第２の平歯車(12)が、ボルト(12a)により、第１の平歯車(11)と噛み合って回転しうるように取り付けられている。
【００１５】
肘当て(３)の下にある肘当てホルダ(14)には、第２の垂直軸(10)が挿通する軸孔(15)を有する軸部(16)が形成されており、軸部(16)の下端部外周には、第３の平歯車(17)が固定的に形成されている。
肘当てホルダ(14)が、肘当て(３)と肘当て支持体(８)との間に、ボルト(10a)により取り付けられた状態では、第３の平歯車(17)は、第２の平歯車(12)に噛み合い、肘当て(３)及び肘当て支持体(８)に対して相対的に回転しうるようになっている。
【００１６】
なお、符号(18)は、肘当て支持体(８)の上部カバー、符号(19)は、肘当て下部カバーを示す。
【００１７】
このような構成であるので、肘当て支持体(８)は、その一端部を枢支する肘掛け支柱(４)の垂直軸(７)を中心として揺動するスイングアームとして作用し、その他端部の第２の垂直軸(10)に枢支した肘当て(３)を、クランク運動するように、大きく移動させることができる。
【００１８】
図３及び図４に詳細に示すように、肘掛け支柱(４)の垂直軸(７)には、周縁部の同一円周上に等間隔に多数の係合孔(20)が穿設された円板(21)の中心孔(21a)が上方より嵌合されている。円板(21)の下面に突設された係止ピン(22)を、肘掛け支柱(４)の円板部分(６)に穿設した対応する受け孔(23)に嵌合することにより、円板(21)は円板部分(６)に回転不能に支持されている。
【００１９】
肘当て支持体(８)の下面には、一方の端部の軸孔(９)の両側部に直径方向の凹溝(24)が形成されている。この凹溝(24)には、ばね鋼のような弾発性材料からなり、垂直軸(７)に嵌合する環状部(26a)から直径方向に延び、かつ外下向き傾斜する１対の弾性舌片(26b)を有する弾性部材(25)が挿置され、肘当て支持体(８)に回転不能に支持されている。
各弾性舌片(26b)の先端部には、下方に突出する半球状の突部(27)が形成されている。この突部(27)が、円板(21)の周辺部の複数の係合孔(20)のいずれにも係合できる。
【００２０】
かくして、円板(21)と弾性部材(25)とにより、肘当て支持体(８)の垂直軸(７)回りの回動に抵抗力を付与する抵抗力付与手段が形成されている。
【００２１】
なお、円板(21)を肘当て支持体(８)側に設け、かつ弾性部材(25)を円板部分(６)側に設けることもある。この場合、受け孔(23)は肘当て支持体(８)の下面に、また凹溝(24)は円板部分(６)の上面に設けることになる。
【００２２】
このような構成であるので、上述の肘当て(3)を移動させるために、肘当て支持体(８)を、垂直軸(７)を中心として回動させる際、常時は弾発力をもって円板(21)の係合孔(20)に係合している弾性舌片(26b)の突部(27)が、弾性舌片(26b)の先端部を上方に弾性変形させつつ、円周方向に移動して、次の係合孔(20)に係合する。肘当て(３)を回動させる力が加わる限り、このような動作が次々に生じ、肘当て支持体(８)の回動は段階的に行われることとなる。
【００２３】
また、肘当て(３)は、肘当て支持体(８)に対して、第２の垂直軸(10)を中心として回動することができるが、その点については、本発明に直接関係しないので、詳細な説明は省略する。
本発明においては、肘当て(３)を肘当て支持体(８)に直接固着してもよい。
【００２４】
【発明の効果】
請求項１記載の発明によると、肘当て支持体を、その幅等に制限されることなく、肘掛け支柱に対して自由に回動させることができる。すなわち、回動範囲を大とすることができ、３６０度回転させることもできる。
また、肘当ては、肘掛け支柱に対してクランク運動することができ、肘当ての調整可能範囲が著しく増大する。
【００２５】
また、円板と弾性舌片とを、肘掛け支柱の頂部と肘当て支持体との対向面に取り付けるだけでよく、構造が簡単で、容易に組み付けることができる。
【００２６】
請求項２記載の発明によると、環状部を垂直軸等に嵌合することにより、弾性舌片が位置決めされるので、組み付け作業がさらに容易になる。
【００２７】
請求項３記載の発明によると、２個の弾性舌片の付勢力及びその反力により互いにバランスし、垂直軸と直交する方向の分力やモーメントが生じるおそれが少ないので、肘当て支持体は、スティック現象等が生じることなく、円滑に回動することができる。
【００２８】
請求項４記載の発明によると、弾性舌片の組み付け、及び位置決めが容易になる。
【００２９】
請求項５記載の発明によると、円板の組み付け、及び位置決めが容易となる。
【図面の簡単な説明】
【図１】  本発明の一実施形態を備える椅子の側面図である。
【図２】  同じく、要部の拡大分解斜視図である。
【図３】  同じく、その一部分をさらに拡大して下方より見た拡大分解斜視図である。
【図４】  同じく、組み立てた状態の肘掛け装置の上部を縦断して示す側面図である。
【符号の説明】
(Ａ)椅子
(１)座体
(２)肘掛け装置
(３)肘当て
(４)肘掛け支柱
(５)肘掛け支柱部
(６)円板部分
(７)垂直軸
(８)肘当て支持体
(９)軸孔
(10)第２の垂直軸
(10a)ボルト
(11)第１の平歯車
(11a)ボルト
(12)第２の平歯車
(12a)ボルト
(14)肘当てホルダ
(15)軸孔
(16)軸部
(17)平歯車
(18)上部カバー
(19)下部カバー
(20)係合孔
(21)円板
(21a)中心孔
(22)係止ピン
(23)受け孔
(24)凹溝
(25)弾性部材
(26a)環状部
(26b)弾性舌片
(27)突部
【図１】
0004256027.tif 000002
【図２】
0004256027.tif 000003
【図３】
0004256027.tif 000004
【図４】
0004256027.tif 000005